(57)【要約】【課題】操作部の傾倒操作により入力する多方向入力用電子部品に関し、小型品であって、入力方向の分解能が高いものなどを提供することを目的とする。【解決手段】弾性を有する絶縁フィルム１１の円形領域部１２に設けた、円形リング状で三ヶ所の導出部１６Ａ，１６Ｂ，１６Ｃを有する抵抗層１６を弾性金属薄板からなるドーム状可動接点１８で覆い、ドーム状可動接点１８の上部に配設した操作体２６上面の所望方向位置を押圧し、操作体２６を傾倒させてドーム状可動接点１８を抵抗層１６に部分反転接触させると共に、更に強く押圧することにより円形領域部１２を弾性変形させ、抵抗層１６裏面の上部導体層２０を対向する下部抵抗層２１に接触させる構成の多方向入力用電子部品をすることにより、小型で入力方向の分解能が高いものを実現できる。【選択図】　図１
2004134230.tif 000002
【特許請求の範囲】
【請求項１】
絶縁基板面とスぺーサを介して所定の間隔をあけて対向し、上記スぺーサによる固定部分から内部側に亘る領域が所定径の円形領域部として機能する部分となる弾性を有する絶縁フィルムと、この絶縁フィルムの上記スぺーサの上部に設けられた周辺接点と、この周辺接点上に外周下端部が載り、上記絶縁フィルムの円形領域部と同心状に上記絶縁フィルム上部に配設された弾性金属薄板製の円形のドーム状可動接点と、上記絶縁フィルムの円形領域部の中心と上記スぺーサの内周との中間部上面に配設された、上記円形領域部と同心状の円形リング状で所定の角度間隔の三ヶ所以上の位置に出力部が設けられた抵抗層、あるいは上記位置にリング状に配列された複数の接点と、上記絶縁フィルムの上記抵抗層あるいは複数の接点の裏面に設けられた上部導体層と、この上部導体層と対向して上記絶縁基板面に設けられた下部導体層と、上面が押圧操作部で、下面の上記抵抗層あるいは複数の接点に対応した突出部が上記ドーム状可動接点の上部に載ると共に、上記絶縁基板と結合された基体部により傾倒可能に支持された操作体からなり、上記押圧操作部の所望の角度方向位置を押圧して上記操作体を傾倒させると、上記ドーム状可動接点が部分弾性反転して上記抵抗層あるいは複数の接点の一点に接触し、上記押圧操作部を更に強く押圧すると、上記絶縁フィルムの円形領域部が部分的に下方に弾性変形して、上記上部導体層と下部導体層が接触する多方向入力用電子部品。
【請求項２】
上部導体層と下部導体層が対向する円形リング状導体層である請求項１記載の多方向入力用電子部品。
【請求項３】
上部導体層が円形リング状導体層で、下部導体層が電気的に絶縁された二つの円形リング層からそれぞれ外方および内方に交互に突出した複数個ずつの櫛歯状導体層が上記上部導体層と同一径上で平行している円形櫛歯状導体層である請求項１記載の多方向入力用電子部品。
【請求項４】
絶縁基板面の下部導体層の中央に配設した中央押圧スイッチを、操作体の中央に独立して配設された押ボタンで、絶縁フィルムの円形領域部の中央およびドーム状可動接点の中央に設けた丸孔を通して押圧操作する請求項１記載の多方向入力用電子部品。
【請求項５】
絶縁基板が、多方向入力用電子部品を使用する電子機器の配線基板である請求項１記載の多方向入力用電子部品。
【発明の詳細な説明】
【０００１】
【発明の属する技術分野】
本発明は、主として携帯電話、カーナビゲーションシステム等の各種電子機器の入力操作用に使用され、操作部の傾倒操作により入力する多方向入力用電子部品に関するものである。
【０００２】
【従来の技術】
従来のこの種の多方向入力用電子部品としての多方向操作スイッチについて、図１０〜図１２を用いて説明する。
【０００３】
図１０は従来の多方向入力用電子部品としての多方向操作スイッチの正面断面図、図１１は分解斜視図である。
【０００４】
同図において、１は中心位置に弾性金属薄板製のドーム状可動接点２を収容した樹脂製の箱形ケースで、その内底面には、互いに導通した四つの外側固定接点３が端部に配設されてドーム状可動接点２の外周下端部が載り、これより内側でドーム状可動接点２の中心から等距離で等角度の位置に、それぞれ独立した複数個（四個）の内側固定接点４（４Ａ〜４Ｄ）が配設されると共に、各固定接点と導通した出力端子（図示せず）が外方に導出され、箱形ケース１の上面の開口部はカバー５で覆われている。
【０００５】
そして６は、軸部６Ａとその下端に一体に形成されたフランジ部６Ｂからなる操作体で、軸部６Ａがカバー５中央の貫通孔５Ａから突出し、フランジ部６Ｂの外周が箱形ケース１の内壁１Ａにより回転はしないが傾倒可能に嵌合支持されると共に、箱形ケース１内底面の四個の内側固定接点４（４Ａ〜４Ｄ）にそれぞれ対応したフランジ部６Ｂ下面の四個の押圧部７（７Ａ〜７Ｄ、但し７Ｄは図示せず）がドーム状可動接点２の上面に当接することにより、フランジ部６Ｂの上面がカバー５の裏面に押し付けられて、全体として垂直中立位置に保たれている。
【０００６】
このように構成された多方向操作スイッチにおいて、図１２の断面図に矢印で示すように、操作体６の軸部６Ａに装着されたつまみ８上面の、所望の角度方向である左上面を下方に押すと、操作体６は、図１０に示す垂直中立位置からフランジ部６Ｂ上面の右側を支点として傾倒し、下面の押圧部７Ａがドーム状可動接点２を押して部分弾性反転させて、押圧部７Ａと対応する内側固定接点４Ａに接触させ、外側固定接点３と内側固定接点４Ａの間を短絡してＯＮ状態とし、その電気信号をそれぞれの出力端子を通して外部へ発し、つまみ８に加える押し力を除くと、ドーム状可動接点２の弾性復元力によって操作体６は元の垂直中立位置に戻り、外側固定接点３と内側固定接点４Ａの間もＯＦＦ状態に戻るものであった。
【０００７】
なお、この出願の発明に関連する先行技術文献情報としては、例えば、特許文献１、特許文献２が知られている。
【０００８】
【特許文献１】
特開平１０−１２５１８０号公報
【特許文献２】
特開２００１−２１０１９１号公報
【０００９】
【発明が解決しようとする課題】
しかしながら上記従来の多方向入力用電子部品としての多方向操作スイッチにおいて、入力できる方向の数すなわち入力方向の分解能は、つまみ８を介して操作体６が傾倒した時にドーム状可動接点２が部分弾性反転して接触する内側固定接点４の数によって決まるものであるが、近年の小型化された電子機器に使用できる電子部品の大きさにおいて、この多方向操作スイッチの安定した動作をさせるには、内側固定接点４の数を多くすることは難しいという課題があった。
【００１０】
本発明はこのような従来の課題を解決するものであり、近年の小型化された電子機器に使用できる大きさであっても、その入力レベルを切り換えたり、より多くの方向に入力できると共に各入力レベルを切り換えることができる多方向入力用電子部品を提供することを目的とする。
【００１１】
【課題を解決するための手段】
本発明の請求項１に記載の発明は、絶縁基板面とスぺーサを介して所定の間隔をあけて対向し、スぺーサによる固定部分から内部側に亘る領域が所定径の円形領域部として機能する部分となる弾性を有する絶縁フィルムと、絶縁フィルムのスぺーサの上部に設けられた周辺接点と、この周辺接点上に外周下端部が載り、絶縁フィルムの円形領域部と同心状に絶縁フィルム上部に配設された弾性金属薄板製の円形のドーム状可動接点と、絶縁フィルムの円形領域部の中心とスぺーサの内周との中間部上面に配設された、円形領域部と同心状の円形リング状で所定の角度間隔の三ヶ所以上の位置に出力部が設けられた抵抗層、あるいは上記位置にリング状に配列された複数の接点と、絶縁フィルムの抵抗層あるいは複数の接点の裏面に設けられた上部導体層と、これと対向して絶縁基板面に設けられた下部導体層と、上面が押圧操作部で、下面の抵抗層あるいは複数の接点に対応した突出部がドーム状可動接点の上部に載ると共に、絶縁基板と結合された基体部により傾倒可能に支持された操作体からなる多方向入力用電子部品としたものである。
【００１２】
この構成とすると、近年の小型化された電子機器に使用できる大きさであっても、操作体の所望の角度方向への傾倒操作により、ドーム状可動接点がクリック節度感と共に部分弾性反転して複数の接点の一つに接触し、所定方向に対する入力ができると共に、その角度方向位置において操作体を更に強く押圧操作し、上部導体層と対向する下部導体層を接触させて、入力レベルを切り換えることができる自己復帰式の多方向入力用電子部品を実現できるという作用効果を有する。
【００１３】
また、複数の接点の代わりに抵抗層を用いた場合、上記同様に、操作体の所望の角度方向への傾倒操作により、ドーム状可動接点がクリック節度感と共に部分弾性反転して抵抗層の一点に接触し、抵抗層の三ヶ所以上の位置から導出された出力部に対する複数の通電条件下において得られる上記接触点における抵抗値データを取得し、所定の演算処理を行なうことによって、高い分解能で多くの方向に入力することができると共に、その角度方向位置において操作体を更に強く押圧操作し、上部導体層と対向する下部導体層を接触させて、入力レベルを切り換えることができる自己復帰式の多方向入力用電子部品を実現することができる。
【００１４】
請求項２に記載の発明は、請求項１記載の発明において、上部導体層と下部導体層が対向する円形リング状導体層であるものであり、上部導体層と下部導体層が簡単な構成で容易に形成することができて、安定した接触特性を有するという作用効果を有する。
【００１５】
請求項３に記載の発明は、請求項１記載の発明において、上部導体層が円形リング状導体層で、下部導体層が電気的に絶縁された二つの円形リング層からそれぞれ外方および内方に交互に突出した複数個ずつの櫛歯状導体層が上部導体層と同一径上で平行している円形櫛歯状導体層であるものであり、上部導体層が、下部導体層としての円形櫛歯状導体層の二つの櫛歯状導体層間を短絡するショートバーとしての役割となるため、絶縁フィルムに上部導体層の導出部を設ける必要がなくて、絶縁基板に二つの円形櫛歯状導体層からの導出部のみを設ければよくなり容易かつ安価なものにできるという作用効果を有する。
【００１６】
請求項４に記載の発明は、請求項１記載の発明において、絶縁基板面の下部導体層の中央に配設した中央押圧スイッチを、操作体の中央に独立して配設された押ボタンで、絶縁フィルムの円形領域部の中央およびドーム状可動接点の中央に設けた丸孔を通して押圧操作するものであり、操作体を傾倒操作した角度方向による入力信号に加えて、押ボタンを押圧することにより別の信号を発することができる多方向入力用電子部品を実現できるという作用効果を有する。
【００１７】
請求項５に記載の発明は、請求項１記載の発明において、絶縁基板が、多方向入力用電子部品を使用する電子機器の配線基板であるものであり、多方向入力用電子部品を使用する電子機器全体として、小型で安価に構成することができるという作用効果を有する。
【００１８】
【発明の実施の形態】
以下、本発明の実施の形態について、図１〜図９を用いて説明する。
【００１９】
なお、判り易くするために、各断面図における絶縁フィルム付近の厚さ寸法を拡大して表わしている。
【００２０】
（実施の形態）
図１は本発明の一実施の形態による多方向入力用電子部品の正面断面図、図２は分解斜視図である。
【００２１】
同図において、１１は弾性を有する絶縁フィルムで、絶縁基板１３と所定の間隔をあけて対向するように、内径が円形に構成されている筒状のスぺーサ１４を介して固定されている。
【００２２】
そして、この絶縁フィルム１１において、スぺーサ１４による固定部分から内部側に亘る領域が、所定径の円形領域部１２として機能する部分に構成されたものとなっている。
【００２３】
この絶縁フィルム１１の上面には、図３の絶縁フィルムの平面図に示すように、円形領域部１２の外方であるスぺーサ１４の上部に、周辺接点１５が良導電性の塗料で印刷形成され、また、円形領域部１２上の、周辺接点１５の直径の約１／２に相当する位置に、一定幅の円形リング状で一様な比抵抗の抵抗層１６が円形領域部１２と同心状に印刷形成されている。
【００２４】
なお、周辺接点１５は円形リング状でなく、一部が欠如していてもよい。
【００２５】
そして、周辺接点１５から出力端子１５Ａが導出されると共に、抵抗層１６に１２０°の角度間隔で設けられた三つの導出点１６Ａ，１６Ｂ，１６Ｃから出力端子１７Ａ，１７Ｂ，１７Ｃがそれぞれ導出されている。
【００２６】
また、絶縁フィルム１１の上部には、弾性金属薄板を椀状に絞り加工したドーム状可動接点１８が、円形領域部１２と同心状で外周下端部が周辺接点１５上に載り、抵抗層１６を所定の間隔をあけて覆うように載せられ、その周囲を可撓性を有する粘着フィルム１９で位置決めされている。
【００２７】
なお、このドーム状可動接点１８および円形領域部１２の中心には、抵抗層１６の内周よりも少し小さい丸孔１８Ａおよび１２Ａが設けられている。
【００２８】
一方、絶縁フィルム１１の円形領域部１２の下面には、抵抗層１６の裏面に円形リング状の上部導体層２０が、そしてこれと所定の間隔をあけて対向する絶縁基板１３上には円形リング状の下部導体層２１が、それぞれ良導電性の塗料で印刷形成され、それぞれの導体層から出力端子２０Ａおよび２１Ａ（図２に出力端子２１Ａのみを図示し、出力端子２０Ａは図示せず）が導出されている。
【００２９】
なお、円形領域部１２の丸孔１２Ａの周囲下部と絶縁基板１３の間には、上部導体層２０と下部導体層２１が安定して所定の間隔を保つように、円形リング状の小スぺーサ１３Ａが配設されている。
【００３０】
そして、絶縁基板１３上の、円形領域部１２の丸孔１２Ａ内の部分すなわち、小スぺーサ１３Ａの内側には、中央押圧スイッチが配設されている。
【００３１】
この中央押圧スイッチ２２は、中心接点２３Ａと外方接点２３Ｂからなる固定接点２３上に、弾性金属薄板を椀状に絞り加工した小ドーム形状の可動接点２４を載せて、可撓性を有する粘着フィルム２５で覆って位置決めした構成となっている。
【００３２】
一方、２６はこの多方向入力用電子部品を操作するための略円盤状の操作体で、絶縁基板１３と結合された基体部２９の上面孔２９Ａの段部２９Ｂ下面に、その外周段部２６Ａが当接して、下方への動きによる傾倒が可能であるように支持されると共に、下面に設けられた、円形領域部１２の抵抗層１６の中心径にほぼ等しい径の円形突出部２７がドーム状可動接点１８の上部に同心状に載り、通常状態において、上面の押圧操作部２８が基体部２９の上面と平行になっている。
【００３３】
そして、操作体２６の中央孔２６Ｂ内に下方へ独立して動くように配設された３０は押ボタンで、下面の突部３０Ａがドーム状可動接点１８および絶縁フィルム１１の円形領域部１２中心の丸孔１８Ａおよび１２Ａを通って、中央押圧スイッチ２２の可動接点２４の中央上部に当接しており、通常状態において上端の押圧面３０Ｂが操作体２６の押圧操作部２８とほぼ同一高さとなっている。
【００３４】
なお、本実施の形態による多方向入力用電子部品において、絶縁基板１３は多方向入力用電子部品を使用する電子機器の配線基板の一部を使用しており、このようにすることによって、電子機器全体として小型で安価なものとなっている。
【００３５】
本実施の形態による多方向入力用電子部品は以上のように構成されるものであり、次にその動作について説明する。
【００３６】
まず、図１に示す通常状態では、周辺接点１５の出力端子１５Ａ（図３参照）はオープン状態で、抵抗層１６の三つの出力端子相互の間、すなわち出力端子１７Ａ−１７Ｂ間、１７Ｂ−１７Ｃ間、１７Ｃ−１７Ａ間はいずれも同じ抵抗値となっている。
【００３７】
そして、図４の正面断面図に矢印で示すように、操作体２６上面の押圧操作部２８の所望の角度方向位置を押圧すると、操作体２６は押された位置とは反対側の外周段部２６Ａと基体部２９の上面孔２９Ａ周囲の段部２９Ｂ下面との当接部を支点として傾倒し、下面に設けられた円形突出部２７の押圧位置下方の部分がドーム状可動接点１８を部分的に下方に押してクリック節度感と共に部分弾性反転させて、図３に例示したような、対向する絶縁フィルム１１の円形領域部１２上の抵抗層１６上面の一つの接触点３１で接触する。
【００３８】
これによって、周辺接点１５と抵抗層１６上面の接触点３１はドーム状可動接点１８を介して短絡され、周辺接点１５の出力端子１５Ａと抵抗層１６の三つの出力端子１７Ａ，１７Ｂ，１７Ｃの間には、それぞれ接触点３１の角度位置すなわち所望の操作方向に対応した抵抗値が導出され、この抵抗値に対し後述の手順により演算処理をして、操作体２６を傾倒操作した方向の入力信号を発することができるものである。
【００３９】
そして、この状態すなわちドーム状可動接点１８が部分弾性反転して抵抗層１６上面の接触点３１に接触したままの状態で、押圧操作部２８の所望の角度方向位置を押圧している力を更に強くすると、図５の正面断面図に示すように、今度は抵抗層１６を形成した絶縁フィルム１１の円形領域部１２の接触点３１付近が下方に部分的に弾性変形し、その下面の上部導体層２０が対向する絶縁基板１３上の下部導体層２１に接触して、その信号がそれぞれの導体層の出力端子（図示せず）から導出される。
【００４０】
すなわち、この上部導体層２０と下部導体層２１の出力端子からの出力によって、上記の周辺接点１５の出力端子１５Ａと抵抗層１６の出力端子１７Ａ，１７Ｂ，１７Ｃから導出される抵抗値による入力信号のレベルを、別のレベルに切り換えるようにできる。
【００４１】
この後、操作体２６の押圧操作部２８に加えていた押し力を除くと、絶縁フィルム１１が自身の弾性復元力により元の平面状に戻って、上部導体層２０と下部導体層２１が離れて両者の間が所定の間隔となり、また、ドーム状可動接点１８も自身の弾性復元力により元のドーム形状に戻ることによって、抵抗層１６上面の接触点３１から離れると共に、操作体２６は下面の円形突出部２７を押し上げられて、外周段部２６Ａが基体部２９の上面孔２９Ａの段部２９Ｂ下面に当接し、上面の押圧操作部２８が基体部２９の上面と平行な図１の状態に戻る。
【００４２】
なお、上記の説明において、絶縁フィルム１１の円形領域部１２の下面に設ける上部導体層２０とこれに所定の間隔をあけて対向する絶縁基板１３上に設ける下部導体層２１は、いずれも円形リング状であるとした。
【００４３】
このように、上部導体層２０および下部導体層２１を共に円形リング状にすれば、両導体層２０，２１は簡単な構成で容易に形成することができ、安定した接触特性を有するが、上部導体層２０から出力端子への導出部を絶縁フィルム１１の裏面に設けなければならない。
【００４４】
しかし、図６の他の構成の下部導体層の平面図にハッチングで示すように、絶縁基板１３上に設ける下部導体層３２を、電気的に絶縁された二つの同心状の円形リング層３３Ａ，３３Ｂからそれぞれ外方および内方に所定の角度間隔で交互に突出した複数個ずつの櫛歯状導体層３４Ａ，３４Ｂが、円形リング状の上部導体層（図示せず）と同一径上で平行している円形櫛歯状導体層３２Ａ，３２Ｂとしてもよい。
【００４５】
この構成とすれば、上部導体層２０は、下部導体層３２としての円形櫛歯状導体層３２Ａ，３２Ｂの二つの櫛歯状導体層３４Ａ，３４Ｂ間を短絡するショートバーとしての役割となるため、絶縁フィルム１３に上部導体層２０の導出部を設ける必要がなく、絶縁基板１３に二つの円形櫛歯状導体層３２Ａ，３２Ｂからの導出部を設けるのみでよいので、導出部の構成が容易となって安価にすることができる。
【００４６】
次に、操作体２６の傾倒操作により出力端子１５Ａおよび１７Ａ，１７Ｂ，１７Ｃに導出された抵抗値に対し演算処理をして、傾倒操作した方向の入力信号を発する手順について、図７の概念図を用いて説明する。
【００４７】
同図において、３５は本実施の形態による多方向入力用電子部品（以下の説明において、電子部品３５と表わす）で、３６は電気回路部を示す。
【００４８】
すなわち、１６は前述の円形リング状で一様な比抵抗の抵抗層で、１２０°の角度間隔に設けられた三つの導出点１６Ａ，１６Ｂ，１６Ｃからそれぞれ出力端子１７Ａ，１７Ｂ，１７Ｃが導出されており、またドーム状可動接点１８（外形を点線で示す）に接続した周辺接点１５から導出された出力端子１５Ａも同様に電気回路部３６に接続されている。
【００４９】
そして、このような構成において、前述のように、電子部品３５の操作体２６（図７には示さず）上面の押圧操作部２８の所望の押圧角度位置を押圧して、操作体２６を所望の方向に傾倒操作し、ドーム状可動接点１８を部分弾性反転させて抵抗層１６の接触点３１に接触させる。
【００５０】
この状態において、まず、第一の通電条件として、端子１７Ａに電圧（例えば、５ボルト）を印加し、端子１７Ｂをアース（０ボルト）に接続し、端子１７Ｃはオープン状態として、電気回路部３６において端子１５Ａに出力される電圧（電圧比）を読み取り、あらかじめ記憶されているデータと照合することによって、接触点３１の位置は導出点１６Ａと１６Ｂの間の導出点１６Ｃ側とは逆側のＰ１点か、導出点１６Ｃ側のＰ２点であるという第一のデータが得られる。
【００５１】
次に、第二の測定条件として、端子１７Ａに電圧（例えば、５ボルト）を印加し、端子１７Ｂはオープン状態として、端子１７Ｃをアース（０ボルト）に接続し、電気回路３６において端子１５Ａに出力される電圧（電圧比）を読み取り、あらかじめ記憶されているデータと照合することによって、接触点３１の位置は導出点１６Ａと１６Ｃの間の導出点１６Ｂ側のＰ１点か、導出点１６Ｂとは逆側のＰ３点であるという第二のデータが得られる。
【００５２】
そして、電気回路３６において第一のデータと第二のデータを比較して、一致するＰ１点の方向が傾倒操作した方向であると認識してその信号を発する。
【００５３】
なお、これらのデータの取得および演算処理は高速で繰り返し行なわれる。
【００５４】
このように、本実施の形態による多方向入力用電子部品３６を使用すれば、操作体２６の傾倒操作時に、複数の通電条件下において得られた複数のデータである抵抗層１６の接触点３１における電圧（電圧比）を演算処理して操作体２６を傾倒操作した方向を認識するものであるから、高い分解能で認識して多くの方向の入力信号を発することができる。
【００５５】
更に、前述のように、操作体２６上面の押圧操作部２８を押圧している力をより強くして、抵抗層１６を形成した絶縁フィルム１１の円形領域部１２の接触点３１付近を部分的に弾性変形させて下面の上部導体層２０を対向する絶縁基板１３上の下部導体層２１に接触させることにより、それぞれの導体層の出力端子から導出される信号によって、上記の操作体２６を傾倒操作した方向による各入力信号のレベルを別のレベルに切り換えることができるので、操作体２６を傾倒操作した方向によって入力できる数を、さらに２倍にすることができる。
【００５６】
なお、以上の説明では、抵抗層１６の三つの出力端子１７Ａ，１７Ｂ，１７Ｃを導出する三ヶ所の導出点１６Ａ，１６Ｂ，１６Ｃを１２０°の等角度間隔で設けると説明したが、これは必ずしも等間隔である必要はなく、三ヶ所の導出点１６Ａ，１６Ｂ，１６Ｃの間にある程度の角度間隔があればよいものである。
【００５７】
また、抵抗層１６の導出点および出力端子の数を三つでなく四つ以上としても、同様の手順により演算処理することができる。
【００５８】
そして、以上のように、操作体２６上面の押圧操作部２８の所定の角度方向位置を押圧して選択した所望の入力の決定・実行等のための別の信号を発するのが中央押圧スイッチ２２である。
【００５９】
すなわち、図１に示す通常状態において、操作体２６の中央孔２６Ｂ内に配設された押ボタン３０の押圧面３０Ｂを、図８の正面断面図に矢印で示すように、垂直下方に押圧すると、その下面の突部３０Ａが小ドーム形状の可動接点２４の中央上部を下方に押して節度感と共に中央部分を弾性反転させ、図８に示すように、可動接点２４の中央下面を中心接点２３Ａに接触させる。
【００６０】
これにより、中央押圧スイッチ２２の固定接点２３の中心接点２３Ａと外方接点２３Ｂが短絡されて、その信号は出力端子（図示せず）を介して、この多方向入力用電子部品を使用する電子機器の回路に伝達される。
【００６１】
そして、押ボタン３０に加える押圧力を除くと、可動接点２４は自身の弾性復元力によって小ドーム形状に戻るとともに、押ボタン３０を押し上げて元の図１の状態に復帰する。
【００６２】
なお、この中央押圧スイッチ２２は上記構成のものとせずに、単体で薄型スイッチに予め構成されたものを配してもよいし、また必ずしも多方向入力用電子部品内に一体に設ける必要はなく、上記多方向入力用電子部品とは別に押圧スイッチ等を設ける場合には、ドーム状可動接点１８および絶縁フィルム１１の円形領域部１２中心の丸孔１８Ａと１２Ａおよび操作体２６の中央孔２６Ｂは不要である。
【００６３】
なお、図９の他の構成の要部となる絶縁フィルム１１と絶縁基板１３の分解斜視図に示すように、絶縁フィルム１１上の抵抗層１６の代わりに、リング状に配列された複数の接点４１を配したものとして構成してもよい。
【００６４】
上記図９においては、絶縁フィルム１１上に構成されている導電部分にハッチングを付すと共に、その他の部材や構成などは、上述の抵抗層１６を配設したものと同じであるため図示およびその説明などは省略する。
【００６５】
この構成であっても、操作体２６を傾倒させてその接点４１が配された角度位置で所定信号が得られ、その角度方向位置において操作体２６を更に強く押圧操作し、上部導体層２０と対向する下部導体層２１を接触させて、入力レベルを切り換えることができるものにできる。
【００６６】
つまり、この構成であっても、従来のものと比して配置してある接点４１の総数の２倍の入力が可能となるものにできる。
【００６７】
なお、このとき操作体２６は、基体部２９などの部材で回転しないように規制されて傾倒可能な構成とすると共に、ドーム状可動接点１８上に載る突出部を各接点４１の配列状態に合わせるように設け、押圧傾倒操作時に、接点４１の配置位置に応じた位置に確実にドーム状可動接点１８が部分的に弾性反転して当接できるように構成することが肝要である。
【００６８】
【発明の効果】
以上のように本発明によれば、近年の小型化された電子機器に使用できる電子部品の大きさにおいて、操作体の押圧操作部を押圧して傾倒させることにより入力レベルを切り換えたり、より多くの方向に入力できると共に各入力レベルを切り換えることができる多方向入力用電子部品を実現できるという有利な効果が得られる。
【図面の簡単な説明】
【図１】本発明の一実施の形態による多方向入力用電子部品の正面断面図
【図２】同分解斜視図
【図３】同要部である絶縁フィルムの平面図
【図４】同押圧操作部を押圧して操作体を傾倒させた状態の正面断面図
【図５】同押圧操作部を更に強く押圧して操作体を傾倒させた状態の正面断面図
【図６】同他の構成の要部となる下部導体層の平面図
【図７】同操作体の傾倒時に出力される抵抗値を演算処理して、傾倒操作方向の入力信号を発する手順を説明する概念図
【図８】同押ボタンを押圧して中央押圧スイッチを動作させる場合の正面断面図
【図９】同他の構成の要部となる絶縁フィルムと絶縁基板の分解斜視図
【図１０】従来の多方向入力用電子部品としての多方向操作スイッチの正面断面図
【図１１】同分解斜視図
【図１２】同操作体を傾倒させた状態の正面断面図
【符号の説明】
１１　絶縁フィルム
１２　円形領域部
１２Ａ，１８Ａ　丸孔
１３　絶縁基板
１３Ａ　小スぺーサ
１４　スぺーサ
１５　周辺接点
１５Ａ，１７Ａ，１７Ｂ，１７Ｃ　出力端子
１６　抵抗層
１６Ａ，１６Ｂ，１６Ｃ　導出点
１８　ドーム状可動接点
１９，２５　粘着フィルム
２０　上部導体層
２１，３２　下部導体層
２２　中央押圧スイッチ
２３　固定接点
２３Ａ　中心接点
２３Ｂ　外方接点
２４　可動接点
２６　操作体
２６Ａ　外周段部
２６Ｂ　中央孔
２７　円形突出部
２８　押圧操作部
２９　基体部
２９Ａ　上面孔
２９Ｂ　段部
３０　押ボタン
３０Ａ　突部
３０Ｂ　押圧面
３１　接触点
３２Ａ，３２Ｂ　円形櫛歯状導体層
３３Ａ，３３Ｂ　円形リング層
３４Ａ，３４Ｂ　櫛歯状導体層
３５　多方向入力用電子部品
３６　電気回路部
４１　リング状に配列された複数の接点
【図１】
2004134230.tif 000003
【図２】
2004134230.tif 000004
【図３】
2004134230.tif 000005
【図４】
2004134230.tif 000006
【図５】
2004134230.tif 000007
【図６】
2004134230.tif 000008
【図７】
2004134230.tif 000009
【図８】
2004134230.tif 000010
【図９】
2004134230.tif 000011
【図１０】
2004134230.tif 000012
【図１１】
2004134230.tif 000013
【図１２】
2004134230.tif 000014